(57)【要約】【課題】自動取引装置の補充及び回収情報を更新する際に操作ミス、入力ミス等が発生せず、営業店内における現金の管理を正確に行うことができるようにする。【解決手段】顧客が操作して金融取引を行う自動取引装置と、該自動取引装置に補充する現金を出金するとともに、前記自動取引装置から回収した現金を保管する現金処理機と、前記自動取引装置の補充及び回収情報を格納するデータベースを備えるホストコンピュータと、前記現金処理機の回金入出金処理の情報を前記ホストコンピュータに送信する営業店端末とを有し、該営業店端末は、前記現金処理機及びホストコンピュータに通信可能に接続され、指定された回金入出金処理の情報を前記現金処理機から取得してホストコンピュータに送信し、該ホストコンピュータは、受信した前記回金入出金処理の情報に基づいて、前記自動取引装置の補充及び回収情報を更新する。【選択図】図１
2005157638.tif 000002
【特許請求の範囲】
【請求項１】
（ａ）顧客が操作して金融取引を行う自動取引装置と、
（ｂ）該自動取引装置に補充する現金を出金するとともに、前記自動取引装置から回収した現金を保管する現金処理機と、
（ｃ）前記自動取引装置の補充及び回収情報を格納するデータベースを備えるホストコンピュータと、
（ｄ）前記現金処理機の回金入出金処理の情報を前記ホストコンピュータに送信する営業店端末とを有し、
（ｅ）該営業店端末は、前記現金処理機及びホストコンピュータに通信可能に接続され、指定された回金入出金処理の情報を前記現金処理機から取得してホストコンピュータに送信し、
（ｆ）該ホストコンピュータは、受信した前記回金入出金処理の情報に基づいて、前記自動取引装置の補充及び回収情報を更新することを特徴とする現金取り扱いシステム。
【請求項２】
前記営業店端末は、回金入出金処理の情報を指定するための通番を入力する入力装置、及び、前記現金処理機から取得した回金入出金処理の情報を表示する表示装置を備える請求項１に記載の現金取り扱いシステム。
【請求項３】
前記現金処理機は、前記通番が印刷された明細票を発行する印刷装置を備える請求項２に記載の現金取り扱いシステム。
【請求項４】
（ａ）顧客が操作して金融取引を行う自動取引装置に補充する現金を出金するとともに、前記自動取引装置から回収した現金を保管する現金処理機であって、
（ｂ）回金入出金処理の情報を格納するデータベースと、回金入出金処理の情報を指定するための通番が印刷された明細票を発行する印刷装置とを有し、
（ｃ）営業店端末に通信可能に接続され、指定された回金入出金処理の情報を前記営業店端末に送信することを特徴とする現金処理機。
【請求項５】
（ａ）自動取引装置の補充及び回収情報を格納するデータベースを備えるホストコンピュータ、及び、自動取引装置に補充する現金を出金するとともに、前記自動取引装置から回収した現金を保管する現金処理機に通信可能に接続された営業店端末であって、
（ｂ）前記現金処理機の回金入出金処理の情報を指定するための通番を入力する入力装置と、前記現金処理機から取得した回金入出金処理の情報を表示する表示装置とを有し、
（ｃ）前記現金処理機から取得した回金入出金処理の情報を前記ホストコンピュータに送信することを特徴とする営業店端末。
【請求項６】
（ａ）現金取り扱いのためにコンピュータシステムを、
（ｂ）顧客が操作して金融取引を行う自動取引装置、
（ｃ）該自動取引装置に補充する現金を出金するとともに、前記自動取引装置から回収した現金を保管する現金処理機、
（ｄ）前記自動取引装置の補充及び回収情報を格納するデータベースを備えるホストコンピュータ、及び、
（ｅ）前記現金処理機の回金入出金処理の情報を前記ホストコンピュータに送信する営業店端末として機能させ、
（ｆ）該営業店端末は、前記現金処理機及びホストコンピュータに通信可能に接続され、指定された回金入出金処理の情報を前記現金処理機から取得してホストコンピュータに送信し、
（ｇ）該ホストコンピュータは、受信した前記回金入出金処理の情報に基づいて、前記自動取引装置の補充及び回収情報を更新することを特徴とする現金取り扱いプログラム。
【請求項７】
（ａ）現金処理のためにコンピュータを、
（ｂ）顧客が操作して金融取引を行う自動取引装置に補充する現金を出金するとともに、前記自動取引装置から回収した現金を保管する現金処理機であって、
（ｃ）回金入出金処理の情報を格納するデータベースと、回金入出金処理の情報を指定するための通番が印刷された明細票を発行する印刷装置とを有し、
（ｄ）営業店端末に通信可能に接続され、指定された回金入出金処理の情報を前記営業店端末に送信する現金処理機として機能させる現金処理プログラム。
【請求項８】
（ａ）コンピュータを、
（ｂ）自動取引装置の補充及び回収情報を格納するデータベースを備えるホストコンピュータ、及び、自動取引装置に補充する現金を出金するとともに、前記自動取引装置から回収した現金を保管する現金処理機に通信可能に接続された営業店端末であって、
（ｃ）前記現金処理機の回金入出金処理の情報を指定するための通番を入力する入力装置と、前記現金処理機から取得した回金入出金処理の情報を表示する表示装置とを有し、
（ｄ）前記現金処理機から取得した回金入出金処理の情報を前記ホストコンピュータに送信する営業店端末として機能させるプログラム。
【発明の詳細な説明】
【技術分野】
【０００１】
本発明は、現金取り扱いシステムに関するものである。
【背景技術】
【０００２】
従来、銀行、郵便局、信用金庫、消費者金融会社等の金融機関の支店、すなわち、営業店等の場所には、顧客が自分で操作して、入金、出金、振り込み、残高照会等の金融取引を行うためのＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が配設されている。該自動取引装置は、紙幣又は硬貨を取り扱う貨幣入出金部を有し、入金等の金融取引においては顧客が入金した現金を受け取り計数して保管し、出金等の金融取引においては、保管している現金の中から所定金額の現金を払い出すようになっている。そのため、営業店等においては、毎日の営業開始時及び営業終了時等に、前記自動取引装置に保管される現金の補充及び回収を行うようになっている。
【０００３】
この場合、営業店等には現金処理機が配設され、該現金処理機によって計数された現金を前記自動取引装置に補充し、該自動取引装置から回収された現金を前記現金処理機によって計数する。なお、前記自動取引装置と現金処理機との間での現金の搬送は、現金収納カセットを使用して行われる。すなわち、現金を自動取引装置に補充する場合、現金処理機によって計数された現金を現金収納カセット内に収容して自動取引装置に搬送し、前記現金収納カセットから現金を自動取引装置に装填（てん）する。また、現金を自動取引装置から回収する場合、該自動取引装置から回収した現金を現金収納カセット内に収容して現金処理機に搬送し、前記現金収納カセットから現金を現金処理機に装填する。
【０００４】
しかし、現金を現金収納カセット内に収容したり、現金を自動取引装置又は現金処理機に装填する作業は人手によって行われるので、時間と手間がかかってしまう。そこで、人手によらずに自動取引装置に保管される現金の補充及び回収を行うことができるシステムが提案されている（例えば、特許文献１参照。）。
【０００５】
該システムにおいては、自動取引装置及び現金処理機に共通の現金収納カセットを装着することができるようになっている。そして、現金を自動取引装置に補充する場合、現金処理機によって計数された現金は、あらかじめ該現金処理機に装着された現金収納カセット内に自動的に収容される。続いて、現金が収容された現金収納カセットを前記現金処理機から取り外して、自動取引装置に搬送し、該自動取引装置に装着する。すると、前記現金収納カセットは、自動取引装置によって認識され、前記貨幣入出金部が、前記現金収納カセットから自動的に現金を取り出して、金種別の現金保管庫に収納する。
【０００６】
また、現金を自動取引装置から回収する場合、前記現金保管庫内の現金が前記現金収納カセット内に収容される。そして、現金が収容された現金収納カセットを前記自動取引装置から取り外して、現金処理機に搬送し、該現金処理機に装着する。すると、前記現金収納カセットは、現金処理機の一部として機能し、該現金処理機は、前記現金収納カセットから自動的に現金を取り出して計数する。この場合、前記現金処理機は、余剰の金種の現金を回収し、不足する金種の現金を補充し、所定金額の現金を計数して前記現金収納カセット内に自動的に収容する。そして、該現金収納カセットは再び自動取引装置に装着される。
【０００７】
ところで、前記自動取引装置への現金の補充及び自動取引装置からの現金の回収に関する情報は、営業店端末としての営業店の窓口端末から金融機関のホストコンピュータに送信され、該ホストコンピュータによって各自動取引装置の現金保管庫に収納されている現金の額、すなわち、有高が管理されるようになっている。
【０００８】
図２は従来の現金取り扱いシステムの動作を示す図である。
【０００９】
図において、１００は現金取り扱いシステムであり、営業店端末としての窓口端末１０１、現金処理機１０２、自動取引装置１０３、ホストコンピュータ１０４及び有高データベース１０５を有する。ここで、前記窓口端末１０１は、営業店の窓口に配設された入出金機能を備えた端末であり、ホストコンピュータ１０４にオンラインネットワーク等を介して接続され、窓口を担当するテラー（Ｔｅｌｌｅｒ）等が操作して、金融取引等の金融業務を行うようになっている。そして、前記現金処理機１０２は自動取引装置１０３に補充される現金を管理する機能を備え、また、ホストコンピュータ１０４は自動取引装置１０３の有高を管理する機能を備え、窓口端末１０１から受信した自動取引装置１０３の補充及び回収情報を有高データベース１０５に格納するようになっている。
【００１０】
この場合、自動取引装置１０３への現金補充時には、現金処理機１０２から現金が出金されて自動取引装置１０３に補充される（図２（１））。そして、オペレータは、自動取引装置１０３に補充した結果を窓口端末１０１に入力する（図２（２））。すると、窓口端末１０１は、自動取引装置１０３に補充した結果をホストコンピュータ１０４に送信して通知する。これにより、ホストコンピュータ１０４は、受信した結果に基づいて、有高データベース１０５に格納されている自動取引装置１０３の補充及び回収情報を更新する（図２（３））。
【００１１】
一方、自動取引装置１０３からの現金回収時には、自動取引装置１０３から回収された現金が現金処理機１０２に入金される（図２（４））。そして、オペレータは、自動取引装置１０３から回収した結果を窓口端末１０１に入力する（図２（５））。すると、窓口端末１０１は、自動取引装置１０３から回収した結果をホストコンピュータ１０４に送信して通知する。これにより、ホストコンピュータ１０４は、受信した結果に基づいて、有高データベース１０５に格納されている自動取引装置１０３の補充及び回収情報を更新する（図２（６））。
【特許文献１】特開平４−３３７８９９号公報
【発明の開示】
【発明が解決しようとする課題】
【００１２】
しかしながら、前記従来の現金取り扱いシステムにおいては、自動取引装置１０３への現金補充時に、オペレータが現金処理機１０２の操作パネルを操作して、金種別の補充金額、自動取引装置１０３を特定するための番号等の情報を現金処理機１０２に入力し、該現金処理機１０２に入力した情報を再度窓口端末１０１に入力する必要がある。また、自動取引装置１０３からの現金回収時にも、金種別の回収金額、自動取引装置１０３を特定するための番号等の情報を現金処理機１０２に入力し、該現金処理機１０２に入力した情報を再度窓口端末１０１に入力する必要がある。
【００１３】
そのため、操作ミス、入力ミス等によって、現金処理機１０２に入力した情報と、窓口端末１０１に入力した情報とが一致せず、営業店内における現金の管理に支障をきたすことがあった。
【００１４】
本発明は、前記従来の現金取り扱いシステムの問題点を解決して、営業店端末と現金処理機とを通信可能に接続し、現金処理機に入力された情報を営業店端末が取得することができるようにして、ホストコンピュータが管理する自動取引装置の補充及び回収情報を更新する際に操作ミス、入力ミス等が発生せず、営業店内における現金の管理を正確に行うことができる現金取り扱いシステムを提供することを目的とする。
【課題を解決するための手段】
【００１５】
そのために、本発明の現金取り扱いシステムにおいては、顧客が操作して金融取引を行う自動取引装置と、該自動取引装置に補充する現金を出金するとともに、前記自動取引装置から回収した現金を保管する現金処理機と、前記自動取引装置の補充及び回収情報を格納するデータベースを備えるホストコンピュータと、前記現金処理機の回金入出金処理の情報を前記ホストコンピュータに送信する営業店端末とを有し、該営業店端末は、前記現金処理機及びホストコンピュータに通信可能に接続され、指定された回金入出金処理の情報を前記現金処理機から取得してホストコンピュータに送信し、該ホストコンピュータは、受信した前記回金入出金処理の情報に基づいて、前記自動取引装置の補充及び回収情報を更新する。
【００１６】
本発明の他の現金取り扱いシステムにおいては、さらに、前記営業店端末は、回金入出金処理の情報を指定するための通番を入力する入力装置、及び、前記現金処理機から取得した回金入出金処理の情報を表示する表示装置を備える。
【００１７】
本発明の更に他の現金取り扱いシステムにおいては、さらに、前記現金処理機は、前記通番が印刷された明細票を発行する印刷装置を備える。
【００１８】
本発明の現金処理機においては、顧客が操作して金融取引を行う自動取引装置に補充する現金を出金するとともに、前記自動取引装置から回収した現金を保管する現金処理機であって、回金入出金処理の情報を格納するデータベースと、回金入出金処理の情報を指定するための通番が印刷された明細票を発行する印刷装置とを有し、営業店端末に通信可能に接続され、指定された回金入出金処理の情報を前記営業店端末に送信する。
【００１９】
本発明の営業店端末においては、自動取引装置の補充及び回収情報を格納するデータベースを備えるホストコンピュータ、及び、自動取引装置に補充する現金を出金するとともに、前記自動取引装置から回収した現金を保管する現金処理機に通信可能に接続された営業店端末であって、前記現金処理機の回金入出金処理の情報を指定するための通番を入力する入力装置と、前記現金処理機から取得した回金入出金処理の情報を表示する表示装置とを有し、前記現金処理機から取得した回金入出金処理の情報を前記ホストコンピュータに送信する。
【００２０】
本発明の現金取り扱いプログラムにおいては、現金取り扱いのためにコンピュータシステムを、顧客が操作して金融取引を行う自動取引装置、該自動取引装置に補充する現金を出金するとともに、前記自動取引装置から回収した現金を保管する現金処理機、前記自動取引装置の補充及び回収情報を格納するデータベースを備えるホストコンピュータ、及び、前記現金処理機の回金入出金処理の情報を前記ホストコンピュータに送信する営業店端末として機能させ、該営業店端末は、前記現金処理機及びホストコンピュータに通信可能に接続され、指定された回金入出金処理の情報を前記現金処理機から取得してホストコンピュータに送信し、該ホストコンピュータは、受信した前記回金入出金処理の情報に基づいて、前記自動取引装置の補充及び回収情報を更新する。
【００２１】
本発明の現金処理プログラムにおいては、現金処理のためにコンピュータを、顧客が操作して金融取引を行う自動取引装置に補充する現金を出金するとともに、前記自動取引装置から回収した現金を保管する現金処理機であって、回金入出金処理の情報を格納するデータベースと、回金入出金処理の情報を指定するための通番が印刷された明細票を発行する印刷装置とを有し、営業店端末に通信可能に接続され、指定された回金入出金処理の情報を前記営業店端末に送信する現金処理機として機能させる。
【００２２】
本発明のプログラムにおいては、コンピュータを、自動取引装置の補充及び回収情報を格納するデータベースを備えるホストコンピュータ、及び、自動取引装置に補充する現金を出金するとともに、前記自動取引装置から回収した現金を保管する現金処理機に通信可能に接続された営業店端末であって、前記現金処理機の回金入出金処理の情報を指定するための通番を入力する入力装置と、前記現金処理機から取得した回金入出金処理の情報を表示する表示装置とを有し、前記現金処理機から取得した回金入出金処理の情報を前記ホストコンピュータに送信する営業店端末として機能させる。
【発明の効果】
【００２３】
本発明によれば、現金処理機に入力された情報を営業店端末が取得することができるので、ホストコンピュータが管理する自動取引装置の補充及び回収情報を更新する際に操作ミス、入力ミス等が発生せず、営業店内における現金の管理を正確に行うことができる。
【発明を実施するための最良の形態】
【００２４】
以下、本発明の実施の形態について図面を参照しながら詳細に説明する。
【００２５】
図１は本発明の実施の形態における現金取り扱いシステムの構成を示す図、図３は本発明の実施の形態における現金処理機、営業店端末及び自動取引装置の構成を示す図である。
【００２６】
図において、１０は銀行、郵便局、信用金庫、消費者金融会社等の金融機関の営業店に配設された現金取り扱いシステムであり、現金処理機１１、第１の自動取引装置２０ａ、第２の自動取引装置２０ｂ及び第３の自動取引装置２０ｃ、並びに、営業店端末としての窓口端末３０を有する。そして、前記現金処理機１１及び窓口端末３０は、ＬＡＮ（Ｌｏｃａｌ  Ａｒｅａ  Ｎｅｔｗｏｒｋ）やイントラネットのような営業店内ネットワーク２５を介して相互に通信可能に接続されている。なお、第１の自動取引装置２０ａ、第２の自動取引装置２０ｂ及び第３の自動取引装置２０ｃを統括的に説明する場合には、自動取引装置２０として説明する。該自動取引装置２０は、実際には多数であってもよいが、本実施の形態においては、説明の都合上、第１の自動取引装置２０ａ、第２の自動取引装置２０ｂ及び第３の自動取引装置２０ｃで代表する。
【００２７】
ここで、前記自動取引装置２０は、前記営業店に配設されたＡＴＭ、ＣＤ等であり、前記金融機関の顧客が自分で操作して入金、出金、通帳記帳、残高照会、振り込み、振り替え、送金、定期性預金設定等の金融取引を行うための装置である。なお、前記自動取引装置２０は、コンビニエンスストア、スーパーマーケット等の商店、地下街、駅構内、駐車場等のいかなる場所に配設されたものであってもよいが、本実施の形態においては、説明の都合上、金融機関の営業店に配設された場合について説明する。また、前記自動取引装置２０は、他の機能、例えば、チケット予約機能、商品購入申し込み機能、クレジットカードの与信確認機能、施設情報案内機能等を有するキオスク端末のような多機能端末であってもよい。
【００２８】
そして、前記自動取引装置２０は、ＣＰＵ、ＭＰＵ等の演算手段、半導体メモリ、磁気ディスク等の記憶手段、通信手段等を有する一種のコンピュータであり、さらに、キーボード、タッチパネル、マウス等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える顧客操作部を有する。なお、該顧客操作部は、入力装置と表示装置との機能を兼ね備えるタッチパネルであることが望ましい。また、前記自動取引装置２０は、キャッシュカード等のカードを取り扱い、顧客ＩＤを取得するカード取り扱い部を有する。そして、該カード取り扱い部は、カードが挿入されるカードスロットを備え、該カードスロット内には、カードを搬送する搬送装置、及び、カードの磁気ストライプやＩＣに格納された情報の読み取り、上書き、消去等を行うための磁気ヘッド等の記録ヘッドが配設される。
【００２９】
さらに、前記自動取引装置２０は、取引明細票を印刷して発行する印刷部を有し、取引明細票に印刷するようになっている。該取引明細票は、入金、出金、通帳記帳、残高照会、振り込み、振り替え、送金、定期性預金設定等の顧客が行った金融取引に関する情報が印刷される紙片であり、口座番号、金融取引の種類、取引金額等が印刷される。さらに、前記自動取引装置２０は、預金通帳等の通帳に記帳する通帳記帳部を有する。
【００３０】
そして、前記自動取引装置２０は、紙幣及び硬貨を取り扱う貨幣入出金部を有する。該貨幣入出金部は、入金等の金融取引において顧客が入金した紙幣又は硬貨を受け取り計数するとともに、出金等の金融取引において所定金額の紙幣又は硬貨を払い出す。ここで、前記貨幣入出金部は、紙幣及び硬貨から成る現金を保管する現金保管庫２１、並びに、該現金保管庫２１に保管される現金の入金及び出金を行う現金入出金処理装置２２を備える。また、前記自動取引装置２０は、紙幣及び硬貨を鑑別する図示されない現金鑑別装置を備え、紙幣及び硬貨の真偽の判別、紙幣及び硬貨の金種の判別、紙幣及び硬貨の二重送りの検出等を行い、紙幣及び硬貨を金種毎に選別するとともに、真正な紙幣及び硬貨以外のもの並びに二重送りされた紙幣及び硬貨を除外する、すなわち、リジェクトするようになっている。なお、リジェクトされた真正な紙幣及び硬貨以外のもの並びに二重送りされた紙幣及び硬貨は、リジェクト収納箱に収納される。
【００３１】
また、前記現金処理機１１は、前記営業店の出納を管理する部署としての出納元に配設され、前記自動取引装置２０に補充される現金及び前記自動取引装置２０から回収された現金を計数するための装置であり、ＵＣＭ（Ｕｎｉｆｉｅｄ  Ｃａｓｈ  Ｍａｃｈｉｎｅ）とも呼ばれる装置である。そして、前記現金処理機１１は、ＣＰＵ、ＭＰＵ等の演算手段、半導体メモリ、磁気ディスク等の記憶手段、通信手段等を有する一種のコンピュータであり、さらに、キーボード、タッチパネル、マウス等の入力装置、ＣＲＴ、液晶ディスプレイ、ＬＥＤディスプレイ等の表示装置等を備える操作部１４を有する。なお、該操作部１４は、入力装置と表示装置との機能を兼ね備えるタッチパネルであることが望ましい。また、前記現金処理機１１は、後述される通番が印刷された明細票等の単票を発行する印刷装置１５を有する。
【００３２】
そして、前記現金処理機１１は、現金を取り扱う図示されない現金取り扱い部を有する。該現金取り扱い部は、紙幣及び硬貨から成る現金を計数し、金種毎に仕分けして、金種別の現金収納箱に収納する。ここで、前記現金取り扱い部は、紙幣及び硬貨から成る現金を保管する現金保管庫１２、並びに、該現金保管庫１２に保管される現金の入金及び出金を行う現金入出金処理装置１３を有する。また、前記現金処理機１１は、紙幣及び硬貨を鑑別する図示されない現金鑑別装置を有し、紙幣及び硬貨の真偽の判別、紙幣及び硬貨の金種の判別、紙幣及び硬貨の二重送りの検出等を行い、紙幣及び硬貨を金種毎に選別するとともに、真正な紙幣及び硬貨以外のもの並びに二重送りされた紙幣及び硬貨を除外する、すなわち、リジェクトするようになっている。なお、リジェクトされた真正な紙幣及び硬貨以外のもの並びに二重送りされた紙幣及び硬貨は、リジェクト収納箱に収納される。
【００３３】
また、本実施の形態においては、前記自動取引装置２０及び現金処理機１１に共通の現金収納カセットを装着することができるようになっている。そして、現金を自動取引装置２０に補充する場合、現金処理機１１によって計数された現金は、あらかじめ該現金処理機１１に装着された現金収納カセット内に自動的に収容される。続いて、現金が収容された現金収納カセットを前記現金処理機１１から取り外して、自動取引装置２０に搬送し、該自動取引装置２０に装着する。すると、前記現金収納カセットは、自動取引装置２０によって認識され、現金入出金処理装置２２が、前記現金収納カセットから自動的に現金を取り出して、金種別の現金保管庫２１に収納する。
【００３４】
また、現金を自動取引装置２０から回収する場合、前記現金保管庫２１内の現金が現金入出金処理装置２２によって前記現金収納カセット内に収容される。そして、現金が収容された現金収納カセットを前記自動取引装置２０から取り外して、現金処理機１１に搬送し、該現金処理機１１に装着する。すると、前記現金収納カセットは、現金処理機１１の一部として機能し、該現金処理機１１は、前記現金収納カセットから自動的に現金を取り出して計数する。この場合、前記現金処理機１１は、余剰の金種の現金を回収し、不足する金種の現金を補充し、所定金額の現金を計数して前記現金収納カセット内に自動的に収容する。そして、該現金収納カセットは再び自動取引装置２０に装着される。
【００３５】
さらに、前記現金処理機１１は、自動取引装置２０への現金補充及び自動取引装置２０からの現金回収、すなわち、営業店内における入出金としての回金入出金処理についての履歴を格納するデータベースとしての履歴データベース１６を備える。該履歴データベース１６は、半導体メモリ、磁気ディスク等の記憶手段を有し、前記現金処理機１１とは別個に構成されるものであるが、該現金処理機１１と一体的に構成されたものであってもよい。そして、本実施の形態において、前記履歴データベース１６は、回金入出金処理の情報を指定するための番号である通番、自動取引装置２０を特定するための番号であるＡＴＭ号機番号、入出金金額、入出金された金額の金種毎の内訳を示す金種別枚数、個々の自動取引装置２０における回金入出金処理を特定するための番号である取引通番、回金入出金処理の行われた日時である取引日時等の事項が格納される。なお、前記事項は、回金入出金処理毎に個別のファイルに格納され、該ファイルのそれぞれには、前記通番が付与される。該通番は、例えば、１〜９９９９の番号であって、順番に１ずつ増加した数字が割り当てられ、９９９９の次は１に戻る。そして、本実施の形態において、前記現金処理機１１は、前記回金入出金処理の履歴を処理するための情報処理用のサーバとしても機能し、前記履歴データベース１６の上位装置である。
【００３６】
また、３６は、金融機関におけるコンピュータシステム内に構築された勘定系上位装置としてのホストコンピュータであり、前記金融機関に開設された口座に関する預け入れ、引き落とし、振り替え、振り込み等の各種金融取引を処理するようになっている。なお、前記ホストコンピュータ３６は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の１つであってもよい。そして、前記ホストコンピュータ３６は、データベースとしての有高データベース３７を有し、各自動取引装置２０の現金保管庫２１に収納されている現金の額、すなわち、有高を管理する。
【００３７】
ここで、前記ホストコンピュータ３６と窓口端末３０とは、オンラインバンキングネットワークのような営業店外ネットワーク３５を介して相互に通信可能に接続されている。そして、ホストコンピュータ３６は、窓口端末３０から受信した情報に基づいて、有高データベース３７に格納されている各自動取引装置２０の補充及び回収情報を更新する。
【００３８】
また、前記窓口端末３０は、営業店のハイカウンタ、ローカウンタ等の窓口に配設され、テラー等の金融機関の担当者が操作する一種のコンピュータであり、ＣＰＵ、ＭＰＵ等の演算手段、半導体メモリ、磁気ディスク等の記憶手段、通信手段等を有し、さらに、キーボード、タッチパネル、マウス等の入力装置３２、及び、ＣＲＴ、液晶ディスプレイ、ＬＥＤディスプレイ等の表示装置３１を有する。なお、前記窓口端末３０は、通常、紙幣及び硬貨を取り扱う貨幣入出金部を有して入出金機としても機能するものであり、金融機関の担当者が操作して、紙幣及び硬貨の現金の補充、回収、入金、出金、通帳記帳、残高照会、振り込み、振り替え、送金、定期性預金設定等の金融取引をオンラインで行うようになっている。しかし、本実施の形態においては、説明の都合上、前記窓口端末３０は、貨幣入出金部を有しておらず、入出金機として機能しないものとして説明する。
【００３９】
そして、前記窓口端末３０は、前記現金処理機１１と接続するアプリケーションとしてのＵＣＭ照会アプリケーションがインストールされている。テラー等の窓口の担当者又は現金処理機１１のオペレータが入力装置３２を操作して、前記通番を入力すると、前記ＵＣＭ照会アプリケーションは、現金処理機１１にアクセスして、通番の照会を行った後、履歴データベース１６から通番に該当する回金入出金処理の情報を取得する。そして、該情報の内容、すなわち、通番、ＡＴＭ号機番号、入出金金額、金種別枚数、取引通番、取引日時等の事項が表示装置３１に表示されるので、窓口の担当者又は現金処理機１１のオペレータは、前記表示装置３１に表示された内容を確認し、入力装置３２を操作して、前記回金入出金処理の情報を窓口端末３０から営業店外ネットワーク３５を介してホストコンピュータ３６に送信する。これにより、該ホストコンピュータ３６は、受信した情報に基づいて、有高データベース３７に格納されている自動取引装置２０の補充及び回収情報を更新することができる。なお、前記現金処理機１１がホストコンピュータ３６と通信するための通信手段を有するものである場合には、回金入出金処理の情報を現金処理機１１から営業店内ネットワーク２５及び営業店外ネットワーク３５を介してホストコンピュータ３６に送信するようにしてもよい。
【００４０】
また、前記有高データベース３７には、各自動取引装置２０の現金保管庫２１内に収納されている現金の額としての有高も格納されている。そして、各自動取引装置２０の有高は、所定期間毎に、例えば、営業店における各営業日の業務時間終了時以降に、補充及び回収情報に基づいて更新されるようになっている。一方、各自動取引装置２０も、現金保管庫２１内に収納されている有高を計数することができるようになっている。これにより、例えば、営業店における各営業日の業務時間終了時以降に、前記有高データベース３７に格納されている各自動取引装置２０の有高と、各自動取引装置２０の現金保管庫２１内に収納されている有高とを比較して、有高が正確か否かをチェックすることができる。
【００４１】
次に、前記構成の現金取り扱いシステム１０の動作について説明する。
【００４２】
図４は本発明の実施の形態における現金取り扱いシステムの動作を示す図であり自動取引装置に現金を補充する場合の図、図５は本発明の実施の形態における現金取り扱いシステムの動作を示す図であり自動取引装置から現金を回収する場合の図である。
【００４３】
まず、現金処理機１１における回金出金処理として、現金を自動取引装置２０に補充する場合の動作について説明する。この場合、現金処理機１１のオペレータが、前記現金収納カセットを現金処理機１１に装着する。続いて、前記オペレータが前記現金処理機１１の操作部１４を操作して、補充する金額を入力して、現金の補充を実行させる。この場合、ＡＴＭ号機番号、出金金額、金種別枚数、オペレータＩＤ等の情報が入力される。すると、現金入出金処理装置１３は、現金保管庫１２から現金を出金する（図４（１））。そして、該現金は計数された後、現金収納カセット内に収容される。なお、前記ＡＴＭ号機番号、出金金額、金種別枚数、オペレータＩＤ等の情報は、回金入出金処理についての履歴として、履歴データベース１６に格納される。この場合、回金入出金処理を指定するための通番が自動的に付与される。そして、印刷装置１５が通番が印刷された明細票を発行するので、オペレータは前記明細票を受領する（図４（２））。
【００４４】
続いて、前記オペレータは、前記現金収納カセットを現金処理機１１から所定の自動取引装置２０に搬送し、該自動取引装置２０に前記現金収納カセットを装着する。そして、前記現金収納カセット内から現金が取り出され、現金入出金処理装置２２が現金保管庫２１に現金を金種毎に収納する。この場合、現金処理機１１による計数の結果と自動取引装置２０による計数の結果とを比較してエラーチェックを行うこともできる。これにより、自動取引装置２０に現金が補充される（図４（３））。
【００４５】
続いて、前記オペレータは、窓口に行き、窓口端末３０の入力装置３２を操作して、回金入出金処理の情報を登録するための操作を行う。この場合、前記明細票に印刷された通番が入力される（図４（４））。なお、前記オペレータでなく、テラー等の窓口の担当者が前記入力装置３２を操作して回金入出金処理の情報を登録するための操作を行うようにしてもよい。この場合、回金入出金処理の情報を指定するために、前記明細票に印刷された通番を認識して、該通番を入力するので入力ミスが発生することがない。
【００４６】
すると、前記窓口端末３０は、現金処理機１１にアクセスし、入力された通番に基づいて履歴データベース１６に格納された情報を検索し、前記通番に該当する回金入出金処理の情報を取得する。そして、前記窓口端末３０は、取得した情報の内容、すなわち、通番、ＡＴＭ号機番号、出金金額、金種別枚数、取引通番、取引日時等の事項を表示装置３１に表示する（図４（５））。
【００４７】
続いて、前記オペレータ又は窓口の担当者は、表示装置３１に表示された内容を確認し、入力装置３２を操作して、前記回金入出金処理の情報を窓口端末３０から営業店外ネットワーク３５を介してホストコンピュータ３６に送信する。そして、該ホストコンピュータ３６は、受信した情報に基づいて、有高データベース３７に格納されている自動取引装置２０の補充及び回収情報を更新する（図４（６））。
【００４８】
次に、現金処理機１１における回金入金処理として、現金を自動取引装置２０から回収して現金処理機１１に入金する場合の動作について説明する。この場合、自動取引装置２０の現金入出金処理装置２２は、現金保管庫２１内から現金を取り出す。そして、現金は、現金収納カセット内に収納されて回収される（図５（１））。
【００４９】
続いて、前記オペレータが、前記現金収納カセットを前記自動取引装置２０から現金処理機１１に搬送し、該現金処理機１１に前記現金収納カセットを装着する。そして、現金入出金処理装置１３は、現金保管庫１２内に現金を金種毎に収納する。なお、現金収納カセット内から取り出された現金は、現金保管庫１２内に収納される前に計数される。これにより、自動取引装置２０から現金が回収され現金処理機１１に入金される（図５（２））。この場合、ＡＴＭ号機番号、入金金額、金種別枚数、オペレータＩＤ等の情報が入力される。
【００５０】
そして、前記ＡＴＭ号機番号、入金金額、金種別枚数、オペレータＩＤ等の情報は、回金入出金処理に  ついての履歴として、履歴データベース１６に格納される。この場合、回金入出金処理を指定するための通番が自動的に付与される。なお、該通番は、現金を自動取引装置２０に補充する場合に付与された通番とは異なる番号である。そして、印刷装置１５が通番が印刷された明細票を発行するので、オペレータは前記明細票を受領する（図５（３））。
【００５１】
続いて、前記オペレータは、窓口に行き、窓口端末３０の入力装置３２を操作して、回金入出金処理の情報を登録するための操作を行う。この場合、前記明細票に印刷された通番が入力される（図５（４））。なお、前記オペレータでなく、テラー等の窓口の担当者が前記入力装置３２を操作して回金入出金処理の情報を登録するための操作を行うようにしてもよい。この場合、回金入出金処理の情報を指定するために、前記明細票に印刷された通番を認識して、該通番を入力するので入力ミスが発生することがない。
【００５２】
すると、前記窓口端末３０は、現金処理機１１にアクセスし、入力された通番に基づいて履歴データベース１６に格納された情報を検索し、前記通番に該当する回金入出金処理の情報を取得する。そして、前記窓口端末３０は、取得した情報の内容、すなわち、通番、ＡＴＭ号機番号、入金金額、金種別枚数、取引通番、取引日時等の事項を表示装置３１に表示する（図５（５））。
【００５３】
続いて、前記オペレータ又は窓口の担当者は、表示装置３１に表示された内容を確認し、入力装置３２を操作して、前記回金入出金処理の情報を窓口端末３０から営業店外ネットワーク３５を介してホストコンピュータ３６に送信する。そして、該ホストコンピュータ３６は、受信した情報に基づいて、有高データベース３７に格納されている自動取引装置２０の補充及び回収情報を更新する（図５（６））。
【００５４】
このように、本実施の形態においては、現金処理機１１と窓口端末３０とが通信可能に接続され、通番を入力することによって、前記現金処理機１１の履歴データベース１６に格納された回金入出金処理の情報を前記窓口端末３０が取得するようになっている。そのため、オペレータ又は窓口の担当者が入力装置３２を操作して情報回金入出金処理の情報を窓口端末３０に入力する必要がないので、ホストコンピュータ３６の有高データベース３７に格納されている自動取引装置２０の補充及び回収情報を更新する際に操作ミス、入力ミス等が発生することがない。すなわち、窓口端末３０に入力するのは、通番だけなので操作が容易であり、ミスが発生することがない。しかも、明細票に印刷された通番を見ながら入力するので、ミスが発生することがない。さらに、表示装置３１に表示された通番、ＡＴＭ号機番号、入出金金額、金種別枚数、取引通番、取引日時等の事項を確認するので、ミスが発生することがない。これにより、営業店内における現金の管理を正確に行うことができる。
【００５５】
また、ホストコンピュータ３６の有高データベース３７に格納されている自動取引装置２０の補充及び回収情報を更新するために必要な窓口端末３０の操作時間を短縮することができる。さらに、有高データベース３７に格納されている自動取引装置２０の補充及び回収情報を訂正するための作業を行う必要がない。
【００５６】
なお、本発明は前記実施の形態に限定されるものではなく、本発明の趣旨に基づいて種々変形させることが可能であり、それらを本発明の範囲から排除するものではない。
【図面の簡単な説明】
【００５７】
【図１】本発明の実施の形態における現金取り扱いシステムの構成を示す図である。
【図２】従来の現金取り扱いシステムの動作を示す図である。
【図３】本発明の実施の形態における現金処理機、営業店端末及び自動取引装置の構成を示す図である。
【図４】本発明の実施の形態における現金取り扱いシステムの動作を示す図であり自動取引装置に現金を補充する場合の図である。
【図５】本発明の実施の形態における現金取り扱いシステムの動作を示す図であり自動取引装置から現金を回収する場合の図である。
【符号の説明】
【００５８】
１０    現金取り扱いシステム
１１    現金処理機
１５    印刷装置
１６    履歴データベース
２０    自動取引装置
２０ａ    第１の自動取引装置
２０ｂ    第２の自動取引装置
２０ｃ    第３の自動取引装置
３０    窓口端末
３１    表示装置
３２    入力装置
３６    ホストコンピュータ
３７    有高データベース
【図１】
2005157638.tif 000003
【図２】
2005157638.tif 000004
【図３】
2005157638.tif 000005
【図４】
2005157638.tif 000006
【図５】
2005157638.tif 000007